(57)【要約】【課題】  エアによる浮力を利用した環境に優しい浮力発電装置の提供【解決手段】  大型水槽内に、搬送ベルト上に設置され且つ上下に回転・移動する複数個のバケット（浮袋）中にエアを吐出させ該バケットに浮力を生じさせて、該搬送ベルトが自動的に回転・駆動して得られた回転力を駆動軸を介して電気的エネルギーに変換する。特に駆動プーリーと搬送ベルトとバケットとの関係、駆動プーリーと吐出口との関係等の工夫【選択図】  図１
2006266251.tif 000002
【特許請求の範囲】
【請求項１】
大型水槽内に、搬送ベルト上に設置され且つ上下に回転・移動する複数個のバケット（浮袋）中にエアを吐出させ該バケットに浮力を生じさせて、該搬送ベルトが自動的に回転・駆動して得られた回転力を駆動軸を介して電気的エネルギーに変換する浮力発電装置であって、
（Ａ）左右２つのメインフレーム間に駆動軸に通された受動プーリー、駆動プーリーを上下に設け、該２つのプーリー間に搬送ベルトを掛け、該搬送ベルト上に複数個のバケットを設置する複数個のバケット回転機構、
（Ｂ）駆動プーリーを構成する回転胴面に、互いに平行して複数個の爪穴と複数個の水の逃げ道とを設け、該搬送ベルトの裏面に固着した該爪を前記爪穴に刺すことにより搬送ベルトを順次送るベルトの回転・搬送機構、
（Ｃ）バケット回転機構（Ａ）において、吐出エアを供給する圧縮エアタンクのエア吹出口に、下方駆動プーリーとチエーンを介して連動する回転車の側面に設けた第２エア吹出口を対向させ、同時に下方駆動プーリーに搬送・回転される搬送ベルトに折畳み可能なバケットの開口部が対向するように構成させ、順次、バケット内にエアが充満する状態で搬送ベルトを上下に回転・移動させ、搬送ベルトが上昇する際には該バケットにエアが充満しており、該搬送ベルトが下降する近傍でバケット押さえ具によりバケット内のエアを抜くことによりバケットが折畳まれるバケットの吸気・排気機構、
（Ｄ）バケット付き搬送ベルトの回転・搬送により発生した回転力を変換して電気的エネルギーを得ることを特徴とする浮力発電装置。
【請求項２】
バケット回転機構（Ａ）が上下に連続して複数個設けられていて、下段のバケット押さえ具に、該下段のエア吹出口より大きく多量のエアを受容可能なエア吹出口付きの帽子状のエアホッパーを被せるように取り付け、しかも、（ａ）上段に設けた搬送ベルトが該下段に設けた搬送ベルトより口が大きく、（ｂ）該上段に設けたバケットが該下段に設けたバケットより口が大きく、（ｃ）該上段に設けたバケット押し具が該下段に設けたバケット押し具より横に長く、（ｄ）該上段に設けた口開具が該下段に設けた口開具より長く、（ｅ）該上段に設けた口開車が該下段に設けた口開車より、幅が長く、高く、大きいことを特徴とする請求項１記載の浮力発電装置。
【請求項３】
バケット付き搬送ベルトの回転・移動による浮力発電の初期駆動力は、商業電力、燃料電池、太陽電池、風力発電の１種又はそれらの組合わせからなる電気装置によりエアポンプを可動させ、圧縮エアをバケットに吹き込んで搬送ベルトを可動させ、次に搬送ベルトが順調に動き出したら、別途発電機の電源を入れて発電する機構であることを特徴とする請求項１又は２記載の浮力発電装置。
【請求項４】
回転・搬送機構（Ｂ）を構成する搬送ベルトの両脇にベルトの外れ防止具を設けたことを特徴とする請求項１又は２記載の浮力発電装置。
【請求項５】
搬送ベルト上のバケットが回転中に食出さないように、バケット食出し防止リングをベルトの両脇に設けたことを特徴とする請求項１〜３のいずれかに記載の浮力発電装置。
【請求項６】
回転車が回転弁、回転枠体、前後蓋体から構成される組立体であることを特徴とする請求項１〜５のいずれかに記載の浮力発電装置。
【請求項７】
バケット回転機構（Ａ）が上段、下段と連続して設けられ、且つ回転車を構成する回転弁が、上段では１サイクル回転弁であり、下段では２サイクル回転弁であるあることを特徴とする請求項２記載の浮力発電装置。
【請求項８】
駆動プーリーの回転によりバケットの開口部が圧縮エアタンクのエア吹出口に接するようになる時に、駆動プーリーを構成する回転胴の周縁部に杆等で取り付けられた口開具によりバケットの開口部を開き、その開口部にエアタンクのエア吹出口を当ててエアを吐出することを特徴とする請求項１〜７のいずれかに記載の浮力発電装置。
【請求項９】
エアの吐出によるバケットの開口が、該バケットの先端部に軽量骨材棒からなる箱状組立体を取り付けると共に該組立体の先端角部に口開車が付いた開口部とし、該口開車を駆動プーリーに付けられた口開具に嵌め込むように設定して、搬送ベルトの移動に伴い該口開具の移動によりバケット開口部が開くようにした請求項１〜８のいずれかに記載の浮力発電装置。
【請求項１０】
バケットの生地がＰＶＣ、ナイロン等のプラスチックシート、防水加工した不織布等の軽量・耐久性の防水、機密性シートであることを特徴とする請求項１〜９のいずれかに記載の浮力発電装置。
【発明の詳細な説明】
【技術分野】
【０００１】  本発明は、環境に優しい電力発生装置、特にエアによる浮力を利用した浮力発電装置の改良に関する。
詳しくは、本発明の浮力発電装置は、工場、マンション、公共の建物等の地下や公共の敷地の地下等やダムの貯水池等に設置でき、自然に左右されずに確実に且つ容易に発電できる点に特徴を有する。
【背景技術】
【０００２】  従来、商業発電の多くは、火力、水力、原子力発電に依存しているが、近年は自然エネルギーを利用した風力、太陽光、地熱発電なども小規模ながら実用化されており、波力、燃料電池などは企業や大学などで研究・実用化されている。
ところで、火力発電は炭酸ガスによるオゾン層の破壊で地球温暖化、大気汚染問題等々で今後の建設は難しくなっている。
また、水力発電は、ダムの建設に住民の立ち退き反対運動や動植物の生存に必須の緑化地帯の減少・消滅等の理由から、現在では、ダムの建設に非常な困難を伴う状況下にある。
次に、原子力発電は、現状では住民の反対で新設は勿論のこと増設も難しい状況にある。
環境に優しい発電である風力発電は、強風時と無風時の発電量にむらがあり、なお高い騒音も発生する問題点もある。更に、太陽電池等による太陽光発電は昼夜と晴曇等で電力量にむらがある問題点がある。【０００３】  そこで、出願人は先に浮力発電装置を提案した（特許文献１）。
その浮力発電装置によると、大型水槽内に、搬送ベルト上に設置され且つ上下に回転・移動する複数個のバケット（浮袋）中にエアを吐出させ該バケットに浮力を生じさせて、該搬送ベルトが自動的に回転・駆動して得られた回転力を駆動軸を介して電気的エネルギーに変換するものである。【０００４】
【特許文献１】特開２０００−３３７２４２号公報
【発明の開示】
【発明が解決しようとする課題】
【０００５】  上記公知の浮力発電装置は、浮力発電のための基本原理を示すに留まり、そのような浮力発電を起こすための構成の細部については全く考慮されておらず、実用化には不十分である。
【課題を解決するための手段】
【０００６】  そこで、本発明者は、上記浮力発電装置の基本原理に基づき、駆動プーリーと搬送ベルト等との関係、搬送ベルトとバケットとの関係、駆動プーリーと吐出口との関係等の種々の観点から考察を重ね、それに基づいて種々の構成要素を発見したことにより、浮力発電装置が十分に作動することを見い出し、本発明を完成するに至った。【０００７】  即ち、本発明は；
（１）大型水槽内に、搬送ベルト上に設置され且つ上下に回転・移動する複数個のバケット（浮袋）中にエアを吐出させ該バケットに浮力を生じさせて、該搬送ベルトが自動的に回転・駆動して得られた回転力を駆動軸を介して電気的エネルギーに変換する浮力発電装置であって、
（Ａ）左右２つのメインフレーム同に駆動軸に通された受動プーリー、駆動プーリーを上下に設け、該２つのプーリー間に搬送ベルトを掛け、該搬送ベルト上に複数個のバケットを設置する複数個のバケット回転機構、
（Ｂ）駆動プーリーを構成する回転胴面に、互いに平行して複数個の爪穴と複数個の水の逃げ道とを設け、該搬送ベルトの裏面に固着した該爪を前記爪穴に刺すことにより搬送ベルトを順次送るベルトの回転・搬送機構、
（Ｃ）バケット回転機構（Ａ）において、吐出エアを供給する圧縮エアタンクのエア吹出口に、下方駆動プーリーとチエーンを介して連動する回転車の側面に設けた第２エア吹出口を対向させ、同時に下方駆動プーリーに搬送・回転される搬送ベルトに折畳み可能なバケットの開口部が対向するように構成させ、順次、バケット内にエアが充満する状態で搬送ベルトを上下に回転・移動させ、搬送ベルトが上昇する際には該バケットにエアが充満しており、該搬送ベルトが下降する近傍でバケット押さえ具によりバケット内のエアを抜くことによりバケットが折畳まれるバケットの吸気・排気機構、
（Ｄ）バケット付き搬送ベルトの回転・搬送により発生した回転力を変換して電気的エネルギーを得ることを特徴とする浮力発電装置を提供する。また、
（２）  バケット回転機構（Ａ）が上下に連続して複数個設けられていて、下段のバケット押さえ具に、該下段のエア吹出口より大きく多量のエアを受容可能なエア吹出口付きの帽子状のエアホッパーを被せるように取り付け、しかも、（ａ）上段に設けた搬送ベルトが該下段に設けた搬送ベルトより口が大きく、（ｂ）該上段に設けたバケットが該下段に設けたバケットより口が大きく、（ｃ）該上段に設けたバケット押し具が該下段に設けたバケット押し具より横に長く、（ｄ）該上段に設けた口開具が該下段に設けた口開具より長く、（ｅ）該上段に設けた口開車が該下段に設けた口開車より、幅が長く、高く、大きい点にも特徴を有する。また、
（３）  バケット付き搬送ベルトの回転・移動による浮力発電の初期駆動力は、商業電力、燃料電池、太陽電池、風力発電の１種又はそれらの組合わせからなる余所の電気装置によりエアポンプを可動させ、圧縮エアをバケットに吹き込んで搬送ベルトを可動させ、次に搬送ベルトが順調に動き出したら、別途発電機の電源を入れて発電する機構である点にも特徴を有する。また、
（４）  回転・搬送機構（Ｂ）を構成する搬送ベルトの両脇にベルトの外れ防止具を設けた点にも特徴を有する。また、
（５）  搬送ベルト上のバケットが回転中に食出さないように、バケット食出し防止リングをベルトの両脇に設けた点にも特徴を有する。また、
（６）  回転車が回転弁、回転枠体、前後蓋体から構成される組立体である点にも特徴を有する。また、
（７）  バケット回転機構（Ａ）が上段、下段と連続して設けられ、且つ回転車を構成する回転弁が、上段では１サイクル回転弁であり、下段では２サイクル回転弁であるある点にも特徴を有する。また、
（８）  駆動プーリーの回転によりバケットの開口部が圧縮エアタンクのエア吹出口に接するようになる時に、駆動プーリーを構成する回転胴の周縁部に杆等で取り付けられた口開具によりバケットの開口部を開き、その開口部にエアタンクのエア吹出口を当ててエアを吐出する点にも特徴を有する。また、
（９）  エアの吐出によるバケットの開口が、該バケットの先端部に軽量骨材棒からなる箱状組立体を取り付けると共に該組立体の先端角部に口開車が付いた開口部とし、該口開車を駆動プーリーに付けられた口開具に嵌め込むように設定して、搬送ベルトの移動に伴い該口開具の移動によりバケット開口部が開くようにした点にも特徴を有する。また、
（１０）  バケットの生地がＰＶＣ、ナイロン等のプラスチックシート、防水加工した不織布等の軽量・耐久性の防水、機密性シートである点にも特徴を有する。【０００８】  本発明は、下記の実施の態様をも包含する。
（イ）  大型水槽内に保全・管理や資材運搬用のエレベータまたは資材運搬用ウインチを設けることを特徴とする上記（１）記載の浮力発電装置。
（ロ）  浮力発電装置を稼働・制御する運転室を該浮力発電装置とは別体に設け、該運転室内に少なくとも水圧計、気圧計、電圧計からなる計器類及びエアポンプスイッチ、始動電源スイッチ、発電機スイッチ、自動切替スイッチ、照明スイッチ、ウオータスイッチからなるスイッチ類を備えていることを特徴とする上記（１）記載の浮力発電装置。
（ハ）  上下２つのプーリー中、下方駆動プーリーが圧縮エアの吐出面に対応すると共に、該プーリーに掛けられたバケット付き搬送ベルトの回転・移動により得られた回転力を該下方駆動プーリー中の駆動軸に伝達して発電・増速機、変圧器等を経て電気的エネルギーに変換することを特徴とする上記（１）記載の浮力発電装置。
（ニ）  バケット押さえ具が一定間隔を置いて少なくとも２個設けられることを特徴とする上記（１）記載の浮力発電装置。
（ホ）  搬送ベルトの裏面の爪の通り道に回転ゴロを設け、搬送ベルト上の折畳まれたバケットのブレを防止する上記（１）記載の浮力発電装置。
【発明の効果】
【０００９】  本発明の浮力発電装置は、騒音、悪臭、振動もなく、都会の電気消耗地ならどこでも建設が可能であり、且つ発電に電力ムラも送電中の放電ロスもなく、石炭のような燃料も無用であって、経済的な発電方法を提供できる。
しかも、マンション、大型ビル、工場等に必須である地上部分でなく地下に設けることができて好都合であり、これが広く普及すれば現在問題化している地球の温暖化現象をくい止める一助となる効果がある。
【発明を実施するための最良の形態】
【００１０】  以下、本発明を図面に基づいて詳細に説明する。
図１は本発明の浮力発電装置の全体像を示し、（イ）はその正面断面図であり、（ロ）はその側面断面図である。
図２は図１を基本としてバケット回転機構（Ａ）が上下に連続して複数個設けた本発明の浮力発電装置の全体像を示し、（イ）はその正面断面図であり、（ロ）はその側面断面図である。
図３は、図２の浮力発電装置の全体像に対して、商業電力以外の初期動力源として燃料電池、風力発電を用いた場合を示し、（イ）はその正面断面図であり、（ロ）はその側面断面図である。
図４は本発明の浮力発電装置を構成する上方受動プーリーの模式図である。
図５−（イ）は本発明の浮力発電装置を構成する下方駆動プーリーの模式図であり、図５−（ロ）はブレ防止ゴロの構造を示す模式図である。
図６は本発明の下方駆動プーリーを構成する回転車の組立図である。
図７は、図２に従って上段に設けられた（イ）１サイクル回転弁からなる回転車の模式図てあり、（ロ）はエアホッパーと共に据え付けられた回転車組立体の模式図である。
図８は、（イ）は本発明の下方駆動プーリー（回転車）の側面の状態を示す模式図であり、（ロ）−（ａ）は駆動プーリー上に搬送・回転されるベルトの表面を示し、（ロ）−（ｂ）は搬送ベルトの表裏を表し、（ロ）−（ｃ）はビス、爪を示し、（ロ）−（ｄ）は搬送ベルトへの爪の固着状態を示す。
図９−（イ）は駆動プーリー上に設けたバケットの押え具とバケット食出し防止具を示し、図９−（ロ）はバケット食出し防止具の構造を示す。
図１０は本発明の浮力発電装置を稼働・制御するための運転室を示す模式図である。【００１１】  本発明の浮力発電装置は、基本的に、図１−（イ）に示すように、大型水槽１内に、搬送ベルト３上に設置され且つ上下に回転・移動する複数個のバケット（浮袋）１４中にエアを吐出させ該バケット１４に浮力を生じさせて、該搬送ベルト３が自動的に回転・駆動して得られた回転力を駆動軸３４を介して電気的エネルギーに変換する浮力発電装置であって、
（Ａ）図１−（ロ）に示すように、左右２つのメインフレーム８、８’間に駆動軸３４に通された下方駆動プーリ１５、上方受動プーリ１５’を上下に設け、該２つのプーリ１５、１５’間に搬送ベルト３を掛け、しかも、上方受動プーリー１５’とメインフレーム間にギヤを介してチェーンを掛けてあり、図４に示すように、その上方受動プーリ１５’のみにバケット食出し防止リング２４が付けてある。
該搬送ベルト３上に複数個のバケット１４を、好ましくは同じ間隔で複数個、可能なら多数個設置する。
下方駆動プーリ１５において、搬送ベルト上のバケット１４に（下記に説明する）誘導具によりエアの吹き込みを行う複数個のバケット回転機構、
なお、ベルトやチェーンの弛みや張り過ぎの調整をメインフレーム８、８’のシャフト（駆動軸）のチェーンの取り付け部（例えば図３のベルト調整ネジ２４）で行う。
（Ｂ）図８に示すように、下方駆動プーリ１５を構成する回転胴面に、互いに平行して複数個の爪穴２０と複数個の水の逃げ道２１とを設け、該搬送ベルト３の裏面に固着した該爪２１を前記爪穴２０に刺すことにより搬送ベルト３を順次送るベルトの回転・搬送機構、
（Ｃ）複数個のバケット回転機構（Ａ）において、図５−（イ）に示すように、吐出エアを供給する圧縮エアタンク５のエア吹出口６に、下方駆動プーリ１５とチェーン４２を介して連動する回転車１７の側面に設けた第２エア吹出口１９を対向させ、同時に下方駆動プーリ１５に搬送・回転される搬送ベルト３に折畳み可能なバケット１４の開口部４０が対向するように構成させ、順次、バケット１４内にエアが充満する状態で搬送ベルト３を上下に回転・移動させ、搬送ベルト３が上昇する際には該バケット１４にエアが充満しており、該搬送ベルト３が下降する近傍でバケット押さえ具２３（図４、９参照）によりバケット１４内のエアを抜くことによりバケット１４が折畳まれるバケットの吸気・排気機構、
（Ｄ）図１−（イ）に示すように、バケット付き搬送ベルト３の回転・移動により発生した回転力を変換して電気的エネルギーを得ることからなる浮力発電装置に関する。【００１２】  本発明におけるバケット回転機構（Ａ）は上下に連続して複数個設けることができる。図２、３に示すように、好ましくは２〜３個設けることが、より上段では水圧が低くてバケット１４に内蔵されるエアが多く、効率も良く、受容される発電量がも多く見込めて有利であると共に、抜き取る発電量の多少に応じて調整でき、本発明に係る浮力発電装置の規模に応じて対応できる利点がある。
このように複数個のバケット回転機構（Ａ）を連続させる場合には、下段のバケット押さえ具２３に、該エア吐出口６より大きく、例えば２倍以上大きく多量のエアを受容可能なエア吹出口５４付きの帽子状のエアホッパー５３を被せるように取り付けることが必要である（図２、３参照）。
図２、３、６に示されるように、このような帽子状のエアホッパー５３に回転車１７を内蔵させることにより、該下段の回転、搬送されるバケット１４内のエアがバケット押さえ具２３により押し出されてエアホッパー５３内に圧入され、該上段のバケット回転機構（Ａ）が作動する機構となっている。
この際に、図２、３に示されるように、下段では吐出したエアをバケットに吸気し難いため回転車を構成する回転弁を吸気の機会の多い２サイクル以上の回転弁とし、上段では、エアホッパー５３の存在と水圧が低いために容易にエアを吸気できるために、回転車を構成する回転弁を１サイクル回転弁１６’（図７参照）とすることができる。【００１３】  図２、３に示されるように、下段のバケットから排出されたエアをエアホッパー５３内の１サイクル回転弁１６’からなる回転車に同期させるには、エアの吹き出しのタイミング等を制御することが必要であって、例えば駆動軸３４’に取り付けてある歯車４１’と回転弁１６’のチエーン４２’とで制御すれば良い。
従って、このような上下に連続して複数個設けるバケット回転機構（Ａ）の場合に、図２、３でも分かるように、（ａ）上段に設けた口開具３２が下段に設けた口開具３２より長く、（ｂ）上段に設けた搬送ベルト３が下段に設けた搬送ベルト３より幅が広く、（ｃ）上段に設けたバケット１４が下段に設けたバケット１４より口が大きく、（ｄ）該上段に設けた口開車３３’が該下段に設けた口開車３３より幅が長く、高く、大きく、（ｅ）該上段に設けたバケット押さえ具２３が該下段に設けたバケット押さえ具２３より横に長くできるので、複数段に亘バケット回転機構（Ａ）を設けた技術的意義が大きい。
このように複数個のバケット回転機構（Ａ）連続させる浮力発電装置によると、上段に設けたバケット１４は回転・搬送により上方に浮上する程に水圧が低くなってバケットは容易に膨らみ浮力が強くなり、より多量の発電量が見込めて本発明の浮力発電装置が商業発電に適する理由でもある。【００１４】  更に、細部について説明する。
図９に示されるように、下方駆動プーリ１５、上方受動プーリ１５’上の搬送・回転する搬送ベルト３の両脇にベルトの外れ防止具２６を設けても良く、これによって搬送ベルトの正常な運転の確保が容易になる。このベルトの外れ防止具２６は上方受動プーリ１５’のみに設けても構わない。
また、搬送ベルト３上に固定したバケット１４が回転中に振動等で食出さないように、バケット食出し防止リング２４をベルト３の両脇に設けても良い。
搬送ベルト３としては、市販のもの、例えばゴムや強度の面からナイロン、ポリエステル等の合成繊維で補強した市販の強力ベルトの使用で良く、軽量化を考慮すると、ゴムの代わりにプラスチック製弾性体の使用も良い。
搬送ベルト３上へのバケット１４の固定には、バケット１４裏面と搬送ベルト３との接着剤等による固着が良い。
搬送ベルトの搬送・回転がすべて水槽１内で行われるため、搬送ベルト３の裏面の爪２１の通り道にブレ防止回転ゴロ３３（図４−（ロ）参照）を設け、搬送ベルト上の折畳まれたバケット１４のブレを防止することもできる。【００１５】  バケット１４の生地は、その機能から考えて軽量、耐久性、防水性、機密性の薄いシートが好ましく、例えばナイロン、ポリエステル等のプラスチックシートや防水加工した不織布等が好適に使用できる。
回転車の素材としては、軽量で且つ頑丈であれば問わないが、例えば軽量合金、ＦＲＰ等を用いることができる。
回転車１７の構造としては特に制限されないが、例えば図５に示されるように、回転弁１６、１６’、回転枠体４４、前後蓋体１８から構成される組立体が構造的に望ましい。また、回転弁には回転のバランスを保つため重り５６を設けることが良い（図７参照）。
この場合、下方駆動プーリ１５を構成する回転車１７中の２個の回転弁１６、１６’は、吹き込まれたエアにより回転させる２サイクル弁であり、バケット１４の口が開く時に回転弁１６、１６’も開きエアが吹き出し充満してバケットが閉まるが、次のバケット１４が開く時に回転弁１６、１６’も開き、エアを吹き出す構成になっている。
この回転車１７は回転弁１６、１６’を回転させる構成となっているので、エアの供給が円滑となる。この回転弁の数は、図６の場合に２個としたが、勿論、その回転機能が阻害されない限り多少の増加は構わない。【００１６】  図１に示すように大型水槽１内に保全・管理や資材運搬用のエレベータ４３を設けても良い。また、屋上には、修理、点検資材等を水槽１内に運搬するためのウインチを設けても良い。
この大型水槽１は、頑丈な鉄筋コンクリート製であり、防水シート張りなどにより完全に防水しておくことが望ましい。
図１０に示すように、本発明の浮力発電装置を稼働・制御する運転室を該浮力発電装置とは別体に設けることが良く、具体的に該運転室内に少なくとも水圧計３７、気圧計３８、電圧計３９からなる計器類及び照明スイッチ４７、ウオータポンプスイッチ４８、自動切替スイッチ４９、発電機スイッチ５０、始動電源スイッチ５１、エアポンプスイッチ５２からなるスイッチ類を備えていることが必要である。
本発明の浮力発電装置では、その操作が順調に進行させることが必要であり、特に、水槽１の底面からの水圧により圧縮エアタンク５の空気圧が常に高くすることが必要であって、例えば水圧より空気圧が低いと、エア吹出口６より水槽１の水が逆流して浮力発電装置の稼働を妨げ、その使用不能となる恐れがある。【００１７】  本発明の浮力発電装置では、操作の容易性等を考慮して駆動・受動プーリーとして上下に分けて２個を設置したが、搬送ベルト３とその上に設けたバケット１４とが円滑に搬送・回転されるならそれに限定されず、更に途中に受動プーリを設けても良い。
また、図１では、下方駆動プーリ１５が圧縮エアタンク５の吐出口６に対応すると共に、バケット１４付き搬送ベルト３の回転・移動により得られた回転力を該下方駆動プーリ１５中の駆動軸３４に伝達して発電・増速機２、変圧器４１等を経て電気的エネルギーに変換することになる。【００１８】  図９に示すように、バケット押え具２３は、１個に限らず、一定間隔を置いて少なくとも２個設けて、バケット１４の折畳みが十分に行われ、図１に示されるように閉じたバケット１４’となることが浮力による回転力の十分な活用面から望ましい。
図５に示すように、下方駆動プーリ１５の回転によりバケット１４の開口部４０が圧縮エアタンク５のエア吹出口６に接するようになる時に、下方駆動プーリ１５を構成する回転胴の周縁部に杆等で取り付けられた口開具３２によりバケット１３の開口部４０を開き、その開口部４０にエアタンク５のエア吹出口６を当ててエアをバケット１４内に吐出させ、バケット１４を十分に開口させる方法の活用が好ましい。
該バケットの開口部の構造としては、図５−（イ）に示すように、バケット１３の先端部に軽量骨材棒からなる箱状組立体を取り付け且つその角に口開車３３を付けた開口部４０を設け、この口開車３３を下方駆動プーリ１５に付けられた口開具３２に嵌め込み、搬送ベルト３の移動に伴い下方駆動プーリ１５に取り付けられた口開具３２の移動によりバケット１４の開口部４０が開く構造が望ましい。【００１９】  また、本発明によるバケット１４付き搬送ベルト３の回転・移動による浮力発電の初期駆動力は、図１に示すように商業電力、又は図３に示すように燃料電池、太陽電池、風力発電の１種の何れかの又はそれらの組合わせ（即ちハイブリッド）による電気装置によりエアポンプ７を可動させ、圧縮エアタンク５の吐出口５から吐出された圧縮エアをバケット１４に吹き込んで搬送ベルト３を可動させ、次に搬送ベルト３が順調に動き出したら、別途発電・増速機２の電源を入れて発電・増速機２も可動して永続して発電する機構である。
特に、初期駆動力として燃料電池、太陽電池、風力発電のハイブリッドが商業電力に左右されず、またどれかの駆動源が不十分の場合でも十分に対応でき最適である。【００２０】  本発明においては、漏電等の原因となる水を嫌うエアポンプ７、発電・増速機２、変圧器４１等の電気的施設は水槽外に設けることが必要である。
本発明の浮力発電装置は原理的に水による浮力を利用すると言う画期的なものであり、その主体部分は水（勿論海水でも良い）中での使用が前提であるので、その主力構成部分は水分により簡単には錆びない部材、例えば鋼材、プラスチック剛材を使用することが良く、場合によっては簡単に取り替えが効くように構成することが良い。
本発明の発電機構は、水中における浮力を利用するものであるから、浮力を最大限に利用する観点から、駆動プーリー、バケット等は浮力による回転力を減じないために可能な限り軽量であることが必要である。
また、本発明の浮力発電装置に併設して補助的に他の発電装置、例えば太陽電池を設けても良く、更に得られた電気を貯蔵する蓄電装置等をも設けても良い。
【産業上の利用可能性】
【００２１】  本発明の浮力発電装置は、バケット回転機構（Ａ）を用い浮力利用に特徴を有するから、騒音、悪臭、振動もなく、都会の電気消耗地はどこでも建設が可能であり、且つ発電に電力ムラも送電中の放電ロスもなく、石炭のような燃料も無用であって、経済的な発電方法を提供できる。
【図面の簡単な説明】
【００２２】
【図１】  本発明の浮力発電装置の全体像を示し、（イ）はその正面断面図であり、（ロ）はその側面断面図である。
【図２】  図１を基本としてバケット回転機構（Ａ）が上下に連続して複数個設けた本発明の浮力発電装置の全体像を示し、（イ）はその正面断面図であり、（ロ）はその側面断面図である。
【図３】  図２の浮力発電装置の全体像に対して、商業電力以外の初期動力源として燃料電池、風力発電を用いた場合を示し、（イ）はその正面断面図であり、（ロ）はその側面断面図である。
【図４】  本発明の浮力発電装置を構成する上方受動プーリーの模式図である。
【図５】  （イ）は本発明の浮力発電装置を構成する下方駆動プーリーの模式図であり、（ロ）はブレ防止ゴロの構造を示す模式図である。
【図６】  本発明の下方駆動プーリーを構成する回転車の組立図である。
【図７】  （イ）図２に従って上段に設けられた１サイクル回転弁からなる回転車の模式図であり、（ロ）はエアホッパーと共に据え付けられた回転車組立体の模式図である。
【図８】  （イ）は本発明の下方駆動プーリー（回転車）の側面の状態を示す模式図であり、（ロ）（ａ）は駆動プーリー上に搬送・回転されるベルトの表面を示し、（ｂ）は搬送ベルトの表裏を表し、（ｃ）はビス、爪を示し、（ｄ）は搬送ベルトへの爪の固着状態を示す。
【図９】  （イ）は駆動プーリー上に設けたバケットの押え具とバケット食出し防止具を示し、（ロ）はバケット食出し防止具の構造を示す。
【図１０】  本発明の浮力発電装置を稼働・制御するための運転室を示す模式図である。
【符号の説明】
【００２３】１  大型水槽
２  発電・増速機
３  搬送ベルト
４  変圧器
５  圧縮エアタンク
６  エア吹出口
７  エアポンプ
８、８’  右左メインフレーム
９  ウオータポンプ
１０  水面
１２  排水口
１３  水抜き栓
１４  バケット（浮き袋）
１４’  閉じたバケット
１５  下方駆動プーリ
１５’  上方受動プーリ
１６  回転弁
１６’  回転弁
１７  回転車
１８  蓋体
１９、１９’  第２エア吹出口
２０  爪穴
２１  爪
２２  ビス
２３  バケット押え具
２３’  第２バケット押え具
２４  バケット食出し防止リング
２６  ベルトの外れ防止具
２７  ベルト調整ネジ
３２、３２’  口開具
３３、３３’  口開車
３４  駆動軸
３６  ブレ防止ゴロ
３７  水圧計
３８  気圧計
３９  電圧計
４０  バケット開口部
４１、４１’  歯車
４２、４２’  チェーン
４３  エレベータ
４４  送風管
４５  水の逃道
４６、４６’  枠体
４７  照明スイッチ
４８  ウオータポンプスイッチ
４９  自動切替スイッチ
５０  発電機スイッチ
５１  始動電源スイッチ
５２  エアポンプスイッチ
５３  エアホッパー
５４  変圧器
５５  横木
５６  重り
５７  太陽光発電
５８  風力発電
５９  燃料電池
【図１】
2006266251.tif 000003
【図２】
2006266251.tif 000004
【図３】
2006266251.tif 000005
【図４】
2006266251.tif 000006
【図５】
2006266251.tif 000007
【図６】
2006266251.tif 000008
【図７】
2006266251.tif 000009
【図８】
2006266251.tif 000010
【図９】
2006266251.tif 000011
【図１０】
2006266251.tif 000012